(57)【特許請求の範囲】
【請求項１】
防水構造のケース内部を外部機器接続部を収容する第１の空間と外部機器接続部以外の部材を収容する第２の空間とに第１の隔壁により水密に区画した携帯用電子機器において、前記第２の空間を外部と区画する第２の隔壁に通常は防水蓋で塞がれて水密に閉じられる気密検査ホース接続用穴を設け、前記第１の隔壁に防水性通気シートで塞がれた穴を設けたことを特徴とする携帯用電子機器の外部機器接続部の防水構造。
【請求項２】
前記外部機器接続部がコネクタで構成されており、前記コネクタに外部機器が接続されないときに前記コネクタに外部機器を接続するコードに設けられたコネクタを挿通させる穴がキャップで塞がれて前記第１の空間が防水状態となる請求項１の携帯用電子機器の外部機器接続部の防水構造。
【請求項３】
外部機器が前記第１の空間に収容されて前記第１の空間を蓋で閉じた状態で前記第１の空間が防水状態となる請求項１の携帯用電子機器の外部機器接続部の防水構造。
【発明の詳細な説明】
【技術分野】
【０００１】
この発明は携帯用電子機器に係わり、特に、その外部機器接続部の防水構造に関する。
【背景技術】
【０００２】
従来から例えば特開２０００−５９８７３号公報に開示されているように、ケース内に僅かな塩分を含む雨水が入っても、プリント基板に電子部品が稠密に実装されている携帯用電子機器が不良となることを防止するために、ケースが防水構造となっているものがあった。
【０００３】
ところが、防水構造には細いループ状のゴム製パッキングが用いられているために、パッキングが不良品であったり、パッキングが正常位置に嵌め込まれていない場合には、防水性能が得られないことになる。このために、防水性能の検査が必要となる。
【０００４】
図３〜図６に防水性能の検査が可能な携帯用電子機器の例を示している。図４〜図６に示すように、上ケース２０と下ケース２１がパッキング３を挟んで締着または嵌着されてケースが形成される。このケース内には外部機器接続用のコネクタ８が実装されたプリント基板９が収容されている。
【０００５】
外部機器を接続するための穴は通常はゴム弾性のキャップ７で塞がれ防水機能が得られる。図４に外部機器を接続するための穴がキャップ７で塞がれた状態を示し、図５に外部機器接続用コード１５がコネクタ１６を介して接続される状態を示している。すなわち、キャップ７が外され、コネクタ１６がケース内部のコネクタ８に差し込まれる。
【０００６】
図７により、この携帯用電子機器の防水性能検査を行う方法を説明する。図７に示すように、上ケース２０の穴２０ａにホース２３に取付けられたゴム弾性の差込み部材２４が差し込まれる。そして、ホース２３から空気をケース内に入れて気密性の検査を行うことにより防水性能が判定できる。
【０００７】
この検査用の穴２０ａは図４および図５に示すように、ゴム弾性の防水蓋６で塞がれており、防水蓋６が使用者により外されることはない。外部機器を接続するときはキャップ７が外される。この状態ではキャップ７で塞がれる穴から水がケース内部に入りプリント基板９が不良となる恐れがあった。
【０００８】
図８にキャップ７で塞がれる穴から水が入ってもプリント基板９が不良とならない構造の携帯用電子機器の外部機器接続部の防水構造の従来の例を示す。図８に示す上ケースと下ケースは２はパッキング３を挟んで嵌着または締着される。下ケース２には板状凸部２ａが形成されており、板状凸部２ａの上方は蓋２２で気密に塞がれており、外部機器接続用の穴がキャップ７で塞がれた状態ではコネクタ８を収容する気密空間が形成される。
【０００９】
この外部機器接続部の防水構造では、キャップ７が外されても水がプリント基板９を収容する空間に入り込むことはない。しかしながら、図４〜図６で説明した従来例と同様の気密検査を行っても板状凸部２ａと蓋２２で区画された空間に気圧が掛からないためにキャップ７で塞がれた部分の防水性能検査ができないという問題があった。
【特許文献１】特開２０００−５９８７３号公報、段落０００６〜段落０００８、図１〜図３
【発明の開示】
【発明が解決しようとする課題】
【００１０】
この発明は上記した点に鑑みてなされたものであって、その目的とするところは、外部機器接続部からプリント基板等を収容する空間に水が入り込むことがなく、しかも外部機器接続部の防水性能も容易に検査することが可能な携帯用電子機器の外部機器接続部の防水構造を提供することにある。
【課題を解決するための手段】
【００１１】
この発明の携帯用電子機器の外部機器接続部の防水構造は、防水構造のケース内部を外部機器接続部を収容する第１の空間と外部機器接続部以外の部材を収容する第２の空間とに第１の隔壁により水密に区画した携帯用電子機器において、前記第２の空間を外部と区画する第２の隔壁に通常は防水蓋で塞がれて水密に閉じられる気密検査ホース接続用穴を設け、前記第１の隔壁に防水性通気シートで塞がれた穴を設けたものである。
【００１２】
また、前記携帯用電子機器の外部機器接続部の防水構造において、前記外部機器接続部がコネクタで構成されており、前記コネクタに外部機器が接続されないときに前記コネクタに外部機器を接続するコードに設けられたコネクタを挿通させる穴がキャップで塞がれて前記第１の空間が防水状態となるとなるものである。
【００１３】
また、同携帯用電子機器の外部機器接続部の防水構造において、外部機器が前記第１の空間に収容されて前記第１の空間を蓋で閉じた状態で前記第１の空間が防水状態となるものである。
【発明の効果】
【００１４】
この発明の携帯用電子機器の外部機器接続部の防水構造によれば、外部機器接続部からプリント基板等を収容する空間に水が入り込むことがなく、しかも外部機器接続部の防水性能も容易に検査することが可能である。
【発明を実施するための最良の形態】
【００１５】
以下この発明を実施するための最良の形態を実施例に即して説明する。
【実施例１】
【００１６】
図１はこの発明の実施例１である携帯用電子機器の外部機器接続部の防水構造を示す断面図である。図１に示す上ケース１と下ケースは２はパッキング３を挟んで嵌着または締着される。下ケース２には板状凸部２ａが形成されており、板状凸部２ａの上方は蓋４で塞がれている。蓋４に設けられた穴は防水性通気シート５で塞がれている。従来例と同様のキャップ７で外部機器接続用の穴がで塞がれた状態ではコネクタ８を収容する防水空間が形成される。
【００１７】
すなわち、コネクタ８を収容する第１の空間とプリント基板９を収容する第２の空間は防水性通気シート５により水密に区画されている。従ってキャップ７が外されてもプリント基板９を収容する空間に水が入ってプリント基板９が不良となることはない。
【００１８】
この例では、コネクタ８を収容する第１の空間とプリント基板を収容する第２の空間は防水性通気シート５を介して空気が流通するため、上ケース１の穴１ａを塞ぐ防水蓋６を外して、従来例と同様に気密性の検査を行うことにより防水性能を判定することができる。このとき、キャップ７で外部機器接続用の穴が塞がれた状態での防水性能も判定できる。
【実施例２】
【００１９】
図２（ａ）はこの発明の実施例２である携帯用電子機器の外部機器接続部の防水構造を示す断面図、図２（ｂ）は外部機器接続部の防水構造の他の状態を示す斜視図である。図２（ａ）に示すように、上ケース１と下ケースは２はパッキング３を挟んで嵌着または締着される。下ケース２には板状凸部２ａが形成されており、板状凸部２ａの上方は蓋４で塞がれている。
【００２０】
蓋４に設けられた穴は防水性通気シート５で塞がれている。板状凸部２ａと防水性通気シート５で穴が塞がれた蓋４とでソケット１０を収容する空間は、防水性能を有する開閉蓋１１で開閉される。
【００２１】
開閉蓋１１が閉じられた状態では、図２（ｂ）に示す外部記録媒体１２を差し込むソケット１０を収容する防水空間が形成される。図２（ｂ）は外部記録媒体１２が差し込まれた状態を示している。このときは、開閉蓋１１は開かれている。
【００２２】
この例でもソケット１０を収容する第１の空間とプリント基板９を収容する第２の空間は防水性通気シート５により水密に区画されている。従って開閉蓋１１が開かれていてもプリント基板９を収容する空間に水が入ってプリント基板９が不良となることはない。
【００２３】
そして、ソケット１０を収容する第１の空間とプリント基板９を収容する第２の空間は防水性通気シート５を介して空気が流通するため、上ケース１の穴１ａを塞ぐ防水蓋６を外して、従来例と同様に気密性の検査を行うことにより防水性能を判定することができる。このとき、開閉蓋１１が閉じられた状態での防水性能も判定できる。
【実施例３】
【００２４】
図３（ａ）はこの発明の実施例３である携帯用電子機器の外部機器接続部の防水構造を示す断面図、図３（ｂ）は外部機器接続部の防水構造の他の状態を示す斜視図である。図３（ａ）に示すように上ケース１と下ケースは２はパッキング３を挟んで嵌着または締着される。下ケース２には板状凸部２ａが形成されており、板状凸部２ａの上方は蓋４で塞がれている。
【００２５】
蓋４に設けられた穴は防水性通気シート５で塞がれている。板状凸部２ａと防水性通気シート５で穴が塞がれた蓋４とで電池１４収容する空間は、防水性能を有する断面Ｌ字形の開閉蓋１３で開閉される。
【００２６】
開閉蓋１３が閉じられた状態では、図３（ａ）およひ図３（ｂ）で示す電池１４を収容する防水空間が形成される。図３（ａ）は電池１４が収容され開閉蓋１３が閉じられた状態を示し、図３（ｂ）は電池１４が収容され開閉蓋１３が開かれた状態を示している。
【００２７】
この例でも電池１４を収容する第１の空間とプリント基板９を収容する第２の空間は防水性通気シート５により水密に区画されている。従って開閉蓋１４が開かれていてもプリント基板９を収容する空間に水が入ってプリント基板９が不良となることはない。
【００２８】
そして、電池１４を収容する第１の空間とプリント基板を収容する第２の空間は防水性通気シート５を介して空気が流通するため、上ケース１の穴１ａを塞ぐ防水蓋６を外して、従来例と同様に気密性の検査を行うことにより防水性能を判定することができる。このとき、開閉蓋１４が閉じられた状態での防水性能も判定できる。
【００２９】
実施例は以上のように構成されているが発明はこれに限られず、例えば、外部機器を接続するコネクタが差し込まれた状態で、コネクタを差し込む穴が防水構造となる場合にこの発明を適用すると、コネクタを差し込んだ状態での防水性能を簡単に検査することが可能となる。
【図面の簡単な説明】
【００３０】
【図１】この発明の実施例１である携帯用電子機器の外部機器接続部の防水構造を示す断面図である。
【図２】図２（ａ）はこの発明の実施例２である携帯用電子機器の外部機器接続部の防水構造を示す断面図、図２（ｂ）は同外部機器接続部の防水構造の他の状態を示す斜視図である。
【図３】図３（ａ）はこの発明の実施例３である携帯用電子機器の外部機器接続部の防水構造を示す断面図、図３（ｂ）は同外部機器接続部の防水構造の他の状態を示す斜視図である。
【図４】従来の携帯用電子機器の外部機器接続部の防水構造の例を示す斜視図である。
【図５】同外部機器接続部の防水構造の他の状態を示す斜視図である。
【図６】同外部機器接続部の防水構造を示す断面図である。
【図７】図７（ａ）は同外部機器接続部の防水構造の他の状態を示す斜視図、図７（ａ）は同状態を示す断面図である。
【図８】従来の携帯用電子機器の外部機器接続部の防水構造の他の例を示す断面図である。
【符号の説明】
【００３１】
１  上ケース、１ａ  穴
２  下ケース、２ａ  板状凸部
３  パッキング
４  蓋
５  防水性通気シート
６  防水蓋
７  キャップ
８  コネクタ
９  プリント基板
１０  ソケット
１１  開閉蓋
１２  外部記録媒体
１３  開閉蓋
１４  電池
１５  外部機器接続用コード
１６  コネクタ
２０  上ケース、２０ａ  穴
２１  下ケース
２２  蓋
２３  ホース
２４  差込み部材
【図１】
0004968110.tif 000002
【図２】
0004968110.tif 000003
【図３】
0004968110.tif 000004
【図４】
0004968110.tif 000005
【図５】
0004968110.tif 000006
【図６】
0004968110.tif 000007
【図７】
0004968110.tif 000008
【図８】
0004968110.tif 000009